(57)【要約】【課題】景品を受け取る行為がダイレクトメールを開封する行為に直接結び付く景品付き封筒を提供する。【解決手段】景品２を受け取る行為がダイレクトメールを開封する行為に直接結び付くように，景品付き封筒１のフラップ１０の内面には、フラップ１０によって覆われる大きさの景品２が貼り付けられている。更に，フラップ１０には，フラップ１０を開封し易くするための開封用ミシン目１１が設けられ，景品付き封筒１の裏になる紙面１３には，封入された状態の封入物３の一部を露出させる切り欠き部１３ａが設けられている。【選択図】図３
2012121601.tif 000002
【特許請求の範囲】
【請求項１】
封筒のフラップの内面に、前記フラップによって覆われる大きさの景品を貼り付けたことを特徴とする景品付き封筒。
【請求項２】
前記フラップに開封用ミシン目を設け，前記開封用ミシン目により開封される前記フラップの部分に前記景品を貼り付けていることを特徴とする，請求項１に記載の景品付き封筒。
【請求項３】
封筒に封入された状態の封入物の一部を露出させる切り欠き部を，封緘する際に前記フラップと糊付けされる紙片に加工したことを特徴とする景品付き封筒。
【発明の詳細な説明】
【技術分野】
【０００１】
本発明は、ダイレクトメール等の郵便物に用いられる封筒に関する。
【背景技術】
【０００２】
商品やサービスなどを消費者に伝える広告手法とて電子メールが利用されることも増えているが，カタログ等の冊子を封筒に同封したダイレクトメールに対する要望も依然として高い。しかし，一人の消費者が受け取るダイレクトメールの数が多くなると，消費者がダイレクトメールを開封しなくなるため，消費者に開封してもらえるような工夫をダイレクトメールに施すことが必要とされている。
【０００３】
消費者にダイレクトメールを開封してもらえる工夫を凝らした封筒として，例えば，特許文献１において，封筒本体の外側に景品となるくじの当選番号を印刷し，更に，封入紙を目視するための窓孔を封筒本体に設け，くじの当選番号及び窓孔を覆うラベルを封筒本体の外側に貼っておき，封入状態で窓孔から目視できる位置に又は封筒本体より引出された状態で目視できる位置にくじの抽選番号が印刷された封入紙を封入したくじ付き封筒が開示されている。
【０００４】
上述した発明によれば，くじ付き封筒を用いたダイレクトメールを受け取った消費者は，ラベルを剥がしてくじの当選結果を確認することで，ダイレクトメールを開封したくなる好奇心を消費者に持たせることができるが，景品を受け取る行為となるラベルを剥がす行為がダイレクトメールを開封する行為に直接結び付かない問題があった。
【先行技術文献】
【特許文献】
【０００５】
【特許文献１】特開平９−５８６９５号公報
【発明の概要】
【発明が解決しようとする課題】
【０００６】
そこで，本発明は，景品を受け取る行為がダイレクトメールを開封する行為に直接結び付く景品付き封筒を提供することを目的とする。
【課題を解決するための手段】
【０００７】
上述した課題を解決する本発明は，景品を受け取る行為がダイレクトメールを開封する行為に直接結び付くように，封筒のフラップの内面に、該フラップによって覆われる大きさの景品を貼り付けたことを特徴とする景品付き封筒である。本発明においては，前記フラップを開封し易くするために，前記フラップに開封用ミシン目を設け，前記開封用ミシン目により開封される前記フラップの部分に前記景品を貼り付けていることが好適である。更に，本発明においては，封筒に封入された状態の封入物の一部を露出させる切り欠き部を，封緘する際に前記フラップと糊付けされる紙片に加工すると，前記フラップを開封したときに，前記封入物の内容を消費者に知らせることができるようになる。
【発明の効果】
【０００８】
このように，本発明によれば，景品を受け取る行為がダイレクトメールを開封する行為に直接結び付く景品付き封筒を提供できる。
【図面の簡単な説明】
【０００９】
【図１】本実施形態に係る景品付き封筒を説明する図。
【図２】開封後の景品付き封筒を説明する図。
【図３】封緘前の景品付き封筒を説明する図。
【発明を実施するための形態】
【００１０】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１１】
ここから，本発明に係る景品付き封筒をカマス貼り（内カマス貼り）の封筒とした実施形態について説明する。図１は，本実施形態に係る景品付き封筒１を説明する図である。
【００１２】
図１で図示した景品付き封筒１は，消費者に送付する封入物３が封入され，フラップ１０に景品２が貼り付けられた封筒で，景品付き封筒１のフラップ１０に景品２を貼り付けているのは，景品付き封筒１を用いたダイレクトメールを消費者に開封してもらえるようにするためである。
【００１３】
図１では，フラップ１に貼り付ける景品２を小型のスクラッチカードをイメージして図示しているが，フラップ１に貼り付ける景品２は厚みが薄ければ如何なる物でもよく，フラップ１のサイズによっては，カード媒体やクーポン券を景品２とすることもできる。なお，景品付き封筒１のフラップに景品２を貼り付ける手法として，テープ貼り，糊貼り又は縫い止めなどを用いることができる。
【００１４】
フラップ１０と景品付き封筒１の裏側になる紙片１３を糊部１２にて糊付けすることで景品付き封筒１は封緘され，景品付き封筒１が封緘されると，フラップ１に貼り付けられた景品２はフラップ１０と封入物３で挟まれた格好になり，ダイレクトメールの送付先である消費者は，封緘された状態の景品付き封筒１から景品２のみを取り出すことができず，封緘された状態の景品付き封筒１から景品２を取り出すためにはフラップ１０を開封することが必要になる。
【００１５】
なお，景品付き封筒１のフラップ１０に貼り付けた景品２が紙媒体の場合，開封する際にフラップ１０が破けてしまうと，フラップ１０に貼り付けた景品２も破けてしまうことがあるため，本実施形態の景品付き封筒１のフラップ１０には，フラップ１０を開封し易くする開封用ミシン目１１が加工されている。
【００１６】
図２は開封後の景品付き封筒１を説明する図である。本実施形態において，フラップ１０に加工された開封用ミシン目１１を切り離し，折り線１４と開封用ミシン目１１で囲まれたフラップ１０の部分１０ａを開くことで，フラップ１０を開封することになり，消費者はフラップ１０に貼り付けられた景品２を取り出すことができるようになる。
【００１７】
また，フラップ１０を開封した際，景品付き封筒１に封入した封入物３の内容が消費者にわからないと，フラップ１０に貼り付けられた景品２を消費者が取り出した後，封入物３が読まれずに捨てられる可能性があるため，本実施形態では，景品付き封筒１に封入された状態の封入物３の一部を露出させる切り欠き部１３ａを，景品付き封筒１の裏になる紙片１３に加工している。
【００１８】
図２に図示したように，景品付き封筒１の裏になる紙片１３に加工された切り欠き部１３ａに対応する封入物３の箇所に，封入物３の内容を示した文字や図柄を印刷しておけば，消費者がフラップ１０を開封した際，景品付き封筒１に封入した封入物３の内容を消費者に知らせることができる。
【００１９】
図３は，封緘前の景品付き封筒１を説明する図である。図３に図示したように，景品付き封筒１に封入物３を封入する際，景品付き封筒１のフラップ１０には，フラップ１０の所定の位置に景品２が貼られると共に，フラップ１０の上部に糊部１２が塗布される。
【００２０】
なお，本実施形態では，景品付き封筒１のフラップ１０に，フラップ１０を開封し易くするための開封用ミシン目１１が加工されるため，景品２を貼り付ける位置は，折り線１４とフラップ１０に加工された開封用ミシン目１１で囲まれた領域内になる。
【符号の説明】
【００２１】
１    景品付き封筒
１０  フラップ
１１  開封用ミシン目
１２  糊部
１３  景品付き封筒の裏側になる紙片
１３ａ  切り欠き部
１４  折り線
２    景品
３    封入物
【図１】
2012121601.tif 000003
【図２】
2012121601.tif 000004
【図３】
2012121601.tif 000005